(57)【要約】【課題】パッティングの難度を低くすることができるとともに、ボールを打ったときのフィーリングを良くすることができる、ソール張出し体およびゴルフパターを提供する。【解決手段】ソール張出し体１６は、ゴルフパターヘッド１２のソール部２０の下面２０ａに沿う形状で形成された振動部２２と、振動部２２をソール部２０の下面２０ａから空間Ｓを介して離間させた状態でソール部２０につなぐ連絡部２４と、ソール部２０に連絡部２４を接合する接合手段２６とを備えている。アドレス時に振動部２２を地面に付けると、ソール張出し体１６を装着していない場合に比べて、スイートスポットの位置が高くなるので、ボールを打つときには、ゴルフパターヘッド１２を上方に移動させる距離が短くなる。フェース部１８でボールを打つと、振動部２２が振動し、その振動がゴルフパターヘッド１２およびシャフト１４を介してプレイヤーの手に伝えられる。【選択図】図１
2019193728.tif 000002
【特許請求の範囲】
【請求項１】
フェース部とソール部とを有するゴルフパターヘッドの前記ソール部に装着されるソール張出し体であって、
前記ソール部の下面に沿う形状で形成され、外部から与えられた衝撃で振動する振動部と、
前記振動部を前記ソール部の下面から空間を介して離間させた状態で前記ソール部につなぐ連絡部とを備える、ソール張出し体。
【請求項２】
前記ソール部に前記連絡部を接合する接合手段を備え、
前記連絡部を前記接合手段により前記ソール部に接合し、かつ、地面に置かれたボールの芯の高さに前記フェース部のスイートスポットの位置を合わせた状態を想定したとき、
前記ソール部の下面から前記振動部の下面までの距離が、前記ソール部の下面から前記地面までの距離よりも短くなるように構成されている、請求項１に記載のソール張出し体。
【請求項３】
前記振動部は板状に形成されており、
前記振動部には、スリットが形成されている、請求項１または２に記載のソール張出し体。
【請求項４】
前記連絡部は、前記振動部を片持ち状態で支持する支持部を有している、請求項１ないし３のいずれか１項に記載のソール張出し体。
【請求項５】
前記振動部は、振動により共鳴音を生じさせる第１部分および第２部分を有する音叉型に形成されている、請求項４に記載のソール張出し体。
【請求項６】
前記振動部は、自由端に向かって厚さが徐々に薄くなるように形成されている、請求項４または５に記載のソール張出し体。
【請求項７】
前記振動部は、固定端から自由端に向かう方向の断面形状が波状となるように形成されている、請求項４ないし６のいずれか１項に記載のソール張出し体。
【請求項８】
前記ゴルフパターヘッドのスイング方向における前記振動部の前側の端面と前記振動部の下面との境界部は、面取りされており、または、曲面に形成されている、請求項１ないし７のいずれか１項に記載のソール張出し体。
【請求項９】
前記連絡部は、前記ソール部と前記振動部との間に介装される板状のスペーサを有している、請求項１ないし８のいずれか１項に記載のソール張出し体。
【請求項１０】
フェース部とソール部とを有するゴルフパターヘッドと、
請求項１ないし９のいずれか１項に記載のソール張出し体とを備える、ゴルフパター。
【発明の詳細な説明】
【技術分野】
【０００１】
本発明は、ゴルフパターヘッドのソール部に装着されるソール張出し体およびソール張出し体を備えるゴルフパターに関する。
【背景技術】
【０００２】
一般的なゴルフパターでは、パターヘッドのフェース部の上下方向長さが約２６ｍｍのものが多く、フェース部の上下方向中央部にスイートスポットがあるものが多い。そのため、アドレス時にパターヘッドのソール部を地面に付けると、スイートスポットは地面から約１３ｍｍ上方に位置することになる。一方、ボールの直径は約４２．５ｍｍであるため、地面に置かれたボールの芯は地面から約２１．２５ｍｍ上方に位置することになる。つまり、ボールの芯は、アドレス時のスイートスポットよりも約８．２５ｍｍ上方に位置することになる。そのため、プレイヤーは、ボールを打つときにパターヘッドをアドレス時よりも約８．２５ｍｍ上方に移動させなければならず、このことがパッティングを難しくしていた。
【０００３】
この問題を解決する手段として、特許文献１には、ソール部に半球状、半円筒状およびローラ状などの形状の突起を設けたゴルフパターが開示されている。このゴルフパターでは、突起の下端からスイートスポットまでの距離がボールの半径とほぼ同じにされているので、プレイヤーは、ボールを打つときにパターヘッドをアドレス時よりも上方に移動させる必要がなく、パッティングし易い。
【先行技術文献】
【特許文献】
【０００４】
【特許文献１】特開平８−２１５３５８号
【０００５】
しかしながら、上記特許文献１に開示されたゴルフパターでは、ボールを打ったときに手に伝わる振動から得られる打感や、耳から聞こえる音の響きが悪く、フィーリングの点で問題があった。
【発明の概要】
【０００６】
本発明は上記問題に対処するためになされたものであり、パッティングの難度を低くすることができるとともに、フィーリングを良くすることができる、ソール張出し体およびゴルフパターを提供することを目的とする。
【０００７】
上記目的を達成するため、本発明に係るソール張出し体の特徴は、フェース部とソール部とを有するゴルフパターヘッドの前記ソール部に装着されるソール張出し体であって、前記ソール部の下面に沿う形状で形成され、外部から与えられた衝撃で振動する振動部と、前記振動部を前記ソール部の下面から空間を介して離間させた状態で前記ソール部につなぐ連絡部とを備えることにある。
【０００８】
この構成では、振動部がソール部の下面から空間を介して離間させた状態でソール部につながれるので、ゴルフパターヘッドでボールを打ったときの衝撃で振動部を振動させることができるとともに、振動部の振動をゴルフパターヘッドに伝えることができる。したがって、振動部の振動をゴルフパターヘッドに接合されたシャフトを介してプレイヤーの手に伝えることができ、プレイヤーが感じるフィーリングを良くすることができる。
【０００９】
また、振動部がソール部の下面から空間を介して離間させた状態でソール部につながれるので、アドレス時に振動部を地面に付けると、ソール張出し体を装着していない場合に比べて、スイートスポットの位置が高くなる。したがって、プレイヤーがボールを打つときには、パターヘッドを上方に移動させる距離を短くすることができ、パッティングの難度を低くすることができる。
【００１０】
本発明に係るソール張出し体の他の特徴は、前記ソール部に前記連絡部を接合する接合手段を備え、前記連絡部を前記接合手段により前記ソール部に接合し、かつ、地面に置かれたボールの芯の高さに前記フェース部のスイートスポットの位置を合わせた状態を想定したとき、前記ソール部の下面から前記振動部の下面までの距離が、前記ソール部の下面から前記地面までの距離よりも短くなるように構成されていることにある。
【００１１】
この構成では、ゴルフパターヘッドのスイートスポットがボールの芯に当たるときには、ソール部の下面から振動部の下面までの距離がソール部の下面から地面までの距離よりも短くなるので、ダフリの発生を抑えることができ、パッティングの難度を低くすることができる。
【００１２】
本発明に係るソール張出し体の他の特徴は、前記振動部は板状に形成されており、前記振動部には、スリットが形成されていることにある。
【００１３】
この構成では、振動部がスリットで分割されているので、分割された各部分が振動し易い。
【００１４】
本発明に係るソール張出し体の他の特徴は、前記連絡部は、前記振動部を片持ち状態で支持する支持部を有していることにある。
【００１５】
この構成では、連絡部の支持部が振動部を片持ち状態で支持するので、両持ち状態で支持する場合に比べて支持部のサイズを小さくすることができ、支持部の重量を軽量化できる。また、支持部におけるソール部の下面に接触する部分は高精度に形成する必要があるが、支持部のサイズを小さくすることにより当該部分の面積を狭くすることができるので、支持部の製造を容易にすることができるとともに、ソール張出し体を様々な形状のパターに対応させ易い。
【００１６】
本発明に係るソール張出し体の他の特徴は、前記振動部は、振動により共鳴音を生じさせる第１部分および第２部分を有する音叉型に形成されていることにある。
【００１７】
この構成では、振動部における第１部分および第２部分がボールを打ったときに共鳴音を生じさせる共鳴体となっている。したがって、プレイヤーは、ボールを打ったときに高周波振動を感じることができ、上手に打ったときのスイングを高周波振動の感覚で覚え易い。また、ボールを打ったときには、「キン」、「ピン」などの心地良い高周波音が発生するため、フィーリングを良くすることができる。
【００１８】
本発明に係るソール張出し体の他の特徴は、前記振動部は、自由端に向かって厚さが徐々に薄くなるように形成されていることにある。
【００１９】
この構成では、振動部の薄くなった先端部において振動および振動音を生じさせ易い。また、振動部を軽量化できるとともに材料コストを低減できる。
【００２０】
本発明に係るソール張出し体の他の特徴は、前記振動部は、固定端から自由端に向かう方向の断面形状が波状となるように形成されていることにある。
【００２１】
この構成では、振動部が波状に曲げられているので、独特の振動および音を生じさせることができる。
【００２２】
本発明に係るソール張出し体の他の特徴は、前記ゴルフパターヘッドのスイング方向における前記振動部の前側の端面と前記振動部の下面との境界部は、面取りされており、または、曲面に形成されていることにある。
【００２３】
振動部の前端面と振動部の下面との境界部は、スイング時に地面と接触し易いが、上記構成では、当該境界部の角を無くしているので、地面と接触したときの抵抗を軽減でき、ゴルフパターヘッドがスイング時にぶれることを抑制できる。
【００２４】
本発明に係るソール張出し体の他の特徴は、前記連絡部は、前記ソール部と前記振動部との間に介装される板状のスペーサを有していることにある。
【００２５】
この構成では、ソール部と振動部との間に板状のスペーサが介装されるので、振動部の振動を調整したり、アドレス時のスイートスポットの高さを調整したりする際には、ソール部と振動部との間に生じる空間の高さをスペーサの厚さで調整できる。つまり、スペーサの厚さを厚くすると空間の高さを高くでき、スペーサの厚さを薄くすると空間の高さを低くできる。また、ソール部と振動部との間に空間を確保するために、振動部に段差を設ける必要がないので、振動部を簡単かつ安価に製造できる。
【００２６】
上記目的を達成するため、本発明に係るゴルフパターの特徴は、フェース部とソール部とを有するゴルフパターヘッドと、上記のいずれかのソール張出し体とを備えることにある。
【００２７】
この構成では、上記のいずれかのソール張出し体の効果をそのまま奏することができる。
【図面の簡単な説明】
【００２８】
【図１】第１実施形態に係るゴルフパターの構成を示す図であり、（Ａ）は正面図、（Ｂ）は底面から見た斜視図である。
【図２】ゴルフパターとボールおよび地面との位置関係を示す正面図である。
【図３】第１実施形態に係るゴルフパターの構成を示す底面から見た分解斜視図である。
【図４】第１実施形態に係るソール張出し体の構成を示す図であり、（Ａ）は平面から見た斜視図、（Ｂ）は底面から見た斜視図である。
【図５】振動部を変形した構成を示す図であり、（Ａ）は振動部を徐々に薄くした構成を示す平面から見た斜視図、（Ｂ）は振動部を波状にした構成を示す平面から見た斜視図である。
【図６】第２実施形態に係るゴルフパターの構成を示す底面から見た分解斜視図である。
【図７】（Ａ）は第３実施形態に係るソール張出し体の構成を示す平面から見た斜視図であり、（Ｂ）は第３実施形態に係るゴルフパターの構成を示す底面から見た斜視図である。
【図８】（Ａ）は第４実施形態に係るソール張出し体の構成を示す平面から見た斜視図（一部断面）であり、（Ｂ）は第４実施形態に係るゴルフパターの構成を示す底面から見た斜視図である。
【発明を実施するための形態】
【００２９】
以下、本発明に係るソール張出し体およびゴルフパターの実施形態について図面を参照しながら説明する。なお、以下の説明で用いる「前・後・左・右・上・下」の各方向は、図１（Ａ），（Ｂ）において矢印で示した各方向と一致する。つまり、ゴルフパターヘッドのスイング方向の前方を「前」、その反対方向を「後」、前方を向いて右方を「右」、その反対方向を「左」、ボールを打つ瞬間における鉛直上方を「上」、その反対方向を「下」とする。
【００３０】
（第1実施形態）
図１は、本発明の第1実施形態に係るゴルフパター１０の構成を示す図であり、（Ａ）は正面図、（Ｂ）は底面から見た斜視図である。図２は、ゴルフパター１０とボールＱおよび地面Ｇとの位置関係を示す正面図である。図３は、ゴルフパター１０の構成を示す底面から見た分解斜視図である。図４は、第１実施形態に係るソール張出し体１６の構成を示す図であり、（Ａ）は平面から見た斜視図、（Ｂ）は底面から見た斜視図である。
【００３１】
図１（Ａ），（Ｂ）に示すゴルフパター１０は、ゴルフパターヘッド１２と、シャフト１４と、ソール張出し体１６とを備えている。ゴルフパターヘッド１２は、フェース部１８とソール部２０とを有しており、全体が細長いブロック状に形成されている。フェース部１８の表面１８ａは、長方形の平坦面に形成されており、ソール部２０の下面２０ａは、下方に向けて突出するように緩やかに湾曲した長方形の曲面に形成されている。なお、ゴルフパターヘッド１２の長さ方向は、ゴルフパターヘッド１２のスイング方向（前後方向）に対して直交する方向（左右方向）と一致している。
【００３２】
図１（Ａ），（Ｂ）に示すように、ゴルフパターヘッド１２の長さ方向一方端部（本実施形態では左端部）１２ａの上部には、シャフト１４の下端部１４ａが接合されており、ソール部２０の下面２０ａには、ソール張出し体１６が装着されている。また、シャフト１４の上端部には、プレイヤーが手で握るグリップ（図示省略）が設けられている。
【００３３】
図２に示すように、本実施形態では、フェース部１８の上下方向長さＨ１が約２６ｍｍに定められており、スイートスポットＰは、フェース部１８の上下方向中央部に設けられている。したがって、平坦な地面Ｇに置かれたボールＱの芯の高さＨ２にスイング軌道上にあるゴルフパターヘッド１２のスイートスポットＰの位置を合わせた状態を想定すると、スイートスポットＰは、地面ＧからボールＱの半径分（約２１．２５ｍ）だけ上方に位置し、ソール部２０の下面２０ａから地面Ｇまでの距離Ｄ１は約８．２５ｍｍとなる。
【００３４】
図３に示すように、ソール張出し体１６は、外部から与えられた衝撃で振動する振動部２２と、振動部２２をゴルフパターヘッド１２のソール部２０につなぐ連絡部２４と、ソール部２０に連絡部２４を接合する接合手段２６とを備えている。本実施形態では、連絡部２４が振動部２２を片持ち状態で支持する支持部２８を有しており、振動部２２と支持部２８とが１つの部品として一体的に形成されている。なお、「外部から与えられた衝撃」は、具体的には、ゴルフパターヘッド１２でボールＱ（図２）を打つときの衝撃などである。
【００３５】
図４（Ａ），（Ｂ）に示すように、振動部２２は、ソール部２０の下面２０ａ（図３）に沿う形状で板状に形成された部分であり、アルミニウムなどの金属によって支持部２８と一体的に形成されている。本実施形態では、ソール部２０の下面２０ａ（図３）が下方に向けて突出するように緩やかに湾曲した長方形に形成されているため、振動部２２は、略長方形の外形を有して下方に向けて突出するように緩やかに湾曲した形状に形成されている。振動部２２が支持部２８で支持されているとき、振動部２２の支持部２８側の端部が固定端２２ａとなり、その反対側の端部が自由端２２ｂとなる。なお、「ソール部２０の下面２０ａに沿う形状」は、ソール部２０の下面２０ａに対向する形状を広く含む概念であり、例えば、振動部２２が湾曲していない平坦な板状に形成された場合でも、当該形状に含まれる。
【００３６】
振動部２２には、ゴルフパターヘッド１２（図３）のスイング方向（前後方向）に対して直交する方向（左右方向）に延びるスリット３０が形成されている。スリット３０は、振動部２２の固定端２２ａの近傍において閉じられており、振動部２２の自由端２２ｂにおいて開かれている。振動部２２におけるスリット３０で分割された第１部分３２ａおよび第２部分３２ｂは、互いに平行に延びる細長い板状（棒状）に形成されており、第１部分３２ａおよび第２部分３２ｂのそれぞれの基端部は、板状の連絡部３４を介して支持部２８につながれている。これにより、第１部分３２ａおよび第２部分３２ｂの全体が、振動により共鳴音を生じさせる音叉型の共鳴体３６となっている。「共鳴音を生じさせる振動」は、具体的には、ゴルフパターヘッド１２でボールＱ（図２）を打ったときに生じる振動などである。
【００３７】
支持部２８は、振動部２２を片持ち状態で支持する板状の部分であり、アルミニウムなどの金属によって振動部２２と一体的に形成されている。支持部２８は、振動部２２を片持ち状態で支持するために、振動部２２よりも厚さが厚くなるように形成されており、図４（Ａ）に示すように、支持部２８の上面２８ａと振動部２２の上面２２ｃとの間には、段差３８が形成されている。一方、図４（Ｂ）に示すように、支持部２８の下面２８ｂと振動部２２の下面２２ｄとは、これらの境界部に段差が生じないように面一に形成されている。そして、支持部２８には、図３に示すボルト４４ａ，４４ｂが挿通される２つの貫通孔４０ａ，４０ｂが形成されている。
【００３８】
図４（Ｂ）に示すように、振動部２２の前側の端面２２ｅと振動部２２の下面２２ｄとの境界部４２ａは面取りされており、また、振動部２２の後側の端面２２ｆと振動部２２の下面２２ｄとの境界部４２ｂは面取りされている。
【００３９】
図２に示すように、連絡部２４を接合手段２６によりソール部２０に接合し、かつ、地面Ｇに置かれたボールＱの芯の高さＨ２にスイートスポットＰの位置を合わせた状態を想定したとき、ソール部２０の下面２０ａから振動部２２の下面２２ｄまでの距離Ｄ２は、ソール部２０の下面２０ａから地面Ｇまでの距離Ｄ１よりも短くなるように定められている。
【００４０】
図４（Ａ），（Ｂ）に示す音叉型の共鳴体３６の各部分のサイズは、特に限定されるものではないが、振動部２２の長さは、５０〜９０ｍｍ程度であることが望ましく、振動部２２の幅は、１５〜４０ｍｍ程度であることが望ましく、支持部２８の厚さは、２〜６ｍｍ程度であることが望ましい。また、第１部分３２ａおよび第２部分３２ｂの厚さは、１．５〜４ｍｍ程度であることが望ましく、段差３８の高さは、０．５〜２ｍｍ程度であることが望ましい。例えば、第１部分３２ａおよび第２部分３２ｂの厚さが４ｍｍであり、段差３８の高さが２ｍｍであれば、ソール部２０の下面２０ａから振動部２２の下面２２ｄまでの距離Ｄ２は６ｍｍとなる。
【００４１】
なお、振動部２２および支持部２８に用いる金属材料は、アルミニウムに限定されるものではなく、鋼やステンレスなどを用いてもよい。ただし、錆びの防止、軽量化、ソール部２０の形状に合わせて振動部２２を変形（弾性変形または塑性変形）させるときの変形容易性などを優先させる場合には、ステンレスやアルミニウムを用いることが望ましい。一方、ボールＱ（図２）を打ったときの高周波振動の感じ易さ、高周波振動で発生する音の聞こえ易さなどを優先させる場合には、炭素鋼（S45C）を使用することが望ましく、さらに、焼入れすることで硬度を高く（HRC50-60）することが望ましい。
【００４２】
図３に示すように、連絡部２４は、振動部２２をソール部２０の下面２０ａから空間Ｓ（図２）を介して離間させた状態でソール部２０につなぐ部分であり、振動部２２と一体的に形成された上記の支持部２８を有している。接合手段２６は、ソール部２０に連絡部２４を接合するものであり、２つのボルト４４ａ，４４ｂと、連絡部２４に形成された２つの貫通孔４０ａ，４０ｂと、ソール部２０に形成された２つのねじ穴４６ａ，４６ｂとを有している。
【００４３】
２つのねじ穴４６ａ，４６ｂは、ゴルフパターヘッド１２の長さ方向一方端部（本実施形態では左端部）１２ａにおいて、ソール部２０の下面２０ａに長さ方向（左右方向）に間隔を隔てて形成されている。つまり、２つのねじ穴４６ａ，４６ｂは、ゴルフパターヘッド１２のシャフト１４が接合された側の端部と同じ側の端部に形成されている。したがって、接合手段２６で連絡部２４をソール部２０に接合したときには、振動部２２をシャフト１４の近くに配置でき、振動部２２の振動をシャフト１４に伝え易い。
【００４４】
図３に示すように、接合手段２６を用いて連絡部２４をソール部２０に接合する際には、２つのボルト４４ａ，４４ｂのそれぞれを、連絡部２４の支持部２８に形成された貫通孔４０ａ，４０ｂに挿通させ、これらをソール部２０の下面２０ａに形成されたねじ穴４６ａ，４６ｂに螺合させる。
【００４５】
（実施形態の効果）
本実施形態によれば、上記構成により以下の各効果を奏することができる。すなわち、図３に示すように、振動部２２がソール部２０の下面２０ａから空間Ｓ（図２）を介して離間させた状態でソール部２０につながれるので、ゴルフパターヘッド１２でボールＱを打ったときの衝撃で振動部２２を振動させることができるとともに、振動部２２の振動をゴルフパターヘッド１２に伝えることができる。したがって、振動部２２の振動をゴルフパターヘッド１２に接合されたシャフト１４を介してプレイヤーの手に伝えることができ、プレイヤーが感じるフィーリングを良くすることができる。
【００４６】
また、振動部２２がソール部２０の下面２０ａから空間Ｓ（図２）を介して離間させた状態でソール部２０につながれるので、アドレス時に振動部２２を地面Ｇに付けると、ソール張出し体１６を装着していない場合に比べて、スイートスポットＰの位置が高くなる。したがって、プレイヤーがボールＱを打つときには、ゴルフパターヘッド１２を上方に移動させる距離を短くすることができ、パッティングの難度を低くすることができる。
【００４７】
図２に示すように、ゴルフパターヘッド１２のスイートスポットＰがボールＱの芯に当たるときには、ソール部２０の下面２０ａから振動部２２の下面２２ｄまでの距離Ｄ２がソール部２０の下面２０ａから地面Ｇまでの距離Ｄ１よりも短くなるので、ダフリの発生を抑えることができ、パッティングの難度を低くすることができる。
【００４８】
図４（Ａ），（Ｂ）に示すように、板状の振動部２２がスリット３０により第１部分３２ａと第２部分３２ｂとに分割されているので、分割されたが各部分が振動し易い。また、スリット３０は、ゴルフパターヘッド１２（図３）のスイング方向（前後方向）に対して直交する方向（左右方向）、すなわち振動部２２の長さ方向に延びて形成されているので、第１部分３２ａおよび第２部分３２ｂの長さを長くして、共鳴音を生じさせ易い。
【００４９】
図３に示すように、連絡部２４の支持部２８が振動部２２を片持ち状態で支持するので、両持ち状態で支持する場合に比べて支持部２８のサイズを小さくすることができ、支持部２８の重量を軽量化できる。また、支持部２８におけるソール部２０の下面２０ａに接触する部分は高精度に形成する必要があるが、支持部２８のサイズを小さくすることにより当該部分の面積を狭くすることができるので、支持部２８の製造を容易にすることができるとともに、ソール張出し体１６を様々な形状のパターに対応させ易い。
【００５０】
図４（Ａ），（Ｂ）に示すように、振動部２２におけるスリット３０で分割された第１部分３２ａおよび第２部分３２ｂがボールＱ（図２）を打ったときに共鳴音を生じさせる共鳴体３６となっているので、プレイヤーは、ボールＱを打ったときに高周波振動を感じることができ、上手に打ったときのスイングを高周波振動の感覚で覚え易い。また、ボールＱを打ったときには、「キン」、「ピン」などの心地良い高周波音が発生するため、フィーリングを良くすることができる。
【００５１】
図４（Ｂ）に示すように、振動部２２の前側の端面２２ｅと振動部２２の下面２２ｄとの境界部４２ａや、振動部２２の後側の端面２２ｆと振動部２２の下面２２ｄとの境界部４２ｂは、スイング時に地面Ｇ（図２）と接触し易い。しかし、本実施形態では、これらの境界部４２ａ，４２ｂを面取りして角を無くしているので、地面Ｇと接触したときの抵抗を軽減でき、ゴルフパターヘッド１２がスイング時にぶれることを抑制できる。
【００５２】
（変形例）
なお、本発明の実施にあたっては、上記実施形態に限定されず、本発明の目的を逸脱しない限りにおいて種々の変更が可能である。例えば、図４（Ｂ）に示すように、上記実施形態では、境界部４２ａ，４２ｂが面取りされているが、これらの境界部４２ａ，４２ｂは、円弧状などの曲面に形成されてもよい。また、前側の境界部４２ａおよび後側の境界部４２ｂのいずれか一方だけが、面取りされてもよいし、曲面に形成されてもよい。
【００５３】
図４（Ａ），（Ｂ）に示すように、上記実施形態では、振動部２２が平面視で長方形に形成されているが、振動部２２の平面視形状は、ゴルフパターヘッド１２からはみ出さない限り、特に限定されるものではなく、例えば、正方形、台形、円形、楕円形などの形状にされてもよい。また、振動部２２の材料としては、上記の金属（アルミニウム、ステンレス、鋼）に代えて、合成樹脂、木材、セラミックなどが用いられてもよい。さらに、振動部２２は、厚みの薄い複数の板を重ねて形成されてもよく、各板の材質および形状は異なっていてもよい。
【００５４】
図１（Ｂ）に示すように、上記実施形態では、ソール部２０の下面２０ａに１つのソール張出し体１６が装着されているが、複数のソール張出し体１６がソール部２０の下面２０ａに装着されてもよい。また、ソール部２０に連絡部２４を接合する接合手段２６においては、図３に示すボルト４４ａ，４４ｂに代えて、溶着、溶接、リベット、圧入などが用いられてもよい。つまり、接合手段は、溶着部、溶接部、リベット、圧入構造などを有していてもよい。
【００５５】
図４（Ａ），（Ｂ）に示すように、上記実施形態では、振動部２２が１つのスリット３０で分割されているが、振動部２２は複数のスリット３０で分割されてもよいし、スリット３０で分割されていなくてもよい。また、上記実施形態では、スリット３０が振動部２２の自由端２２ｂにおいて開かれているが、スリット３０は、振動部の自由端において閉じられていてもよい。さらに、スリット３０は、長さ方向の一方端部に向かって幅が広くなる形状、長さ方向の一方端部に向かって幅が狭くなる形状、長さ方向の中央部の幅が広くなる形状などに形成されてもよい。
【００５６】
スリット３０は、ゴルフパターヘッド１２（図３）のスイング方向（前後方向）に延びて形成されてもよいし、スイング方向（前後方向）に対して斜めの方向に延びて形成されてもよい。これらの場合、振動部２２の全体は、スリット３０で分割された各部分が櫛歯となる櫛状に形成されてもよい。
【００５７】
図４（Ａ），（Ｂ）に示すように、上記実施形態では、音叉型の共鳴体３６を構成する第１部分３２ａおよび第２部分３２ｂが同じ長さで形成されているが、これらは、異なる長さで形成されてもよい。また、上記実施形態では、第１部分３２ａおよび第２部分３２ｂが細長い板状（棒状）に形成されているが、これらは、円形、楕円形、多角形などの断面形状を有する棒状に形成されてもよい。この場合、振動部２２の全体は、上方または下方から見たときにＵ字形状となるように形成されてもよい。
【００５８】
図３に示すように、上記実施形態では、ソール張出し体１６の連絡部２４がゴルフパターヘッド１２のソール部２０に接合手段２６を用いて接合されているが、ソール張出し体１６は、金属などを用いてゴルフパターヘッド１２のソール部２０と一体的に形成されてもよい。
【００５９】
図５は、振動部を変形した構成を示す図であり、（Ａ）は振動部を徐々に薄くした構成を示す平面から見た斜視図、（Ｂ）は振動部を波状にした構成を示す平面から見た斜視図である。上記実施形態のソール張出し体１６は、図５（Ａ）に示すソール張出し体５０や、図５（Ｂ）に示すソール張出し体５２に変更されてもよい。
【００６０】
図５（Ａ）に示すソール張出し体５０は、スリット５４によって分割された振動部５６を有しており、振動部５６は、自由端に向かって厚さが徐々に薄くなるように形成されている。この構成では、振動部５６の薄くなった先端部において振動および振動音を生じさせ易い。また、振動部５６を軽量化できるとともに材料コストを低減できる。なお、このような構成は、スリットで分割されていない振動部にも適用可能であり、これに適用した場合でも上記効果を奏することができる。
【００６１】
図５（Ｂ）に示すソール張出し体５２は、スリット５８によって分割された振動部６０を有しており、振動部６０は、固定端から自由端に向かう方向の断面形状が波状となるように形成されている。この構成では、振動部６０が波状に曲げられているので、独特の振動および音を生じさせることができる。なお、このような構成は、スリットで分割されていない振動部にも適用可能であり、これに適用した場合でも上記効果を奏することができる。
【００６２】
（第２実施形態）
図６は、第２実施形態に係るゴルフパター６２の構成を示す底面から見た分解斜視図である。上記実施形態のソール張出し体１６は、図６に示すソール張出し体６４に変更されてもよい。このソール張出し体６４は、長さ方向のほぼ全長に亘って一定の厚さで形成された振動部６６と、ソール部２０と振動部６６との間に介装される板状のスペーサ６８を有する連絡部７０とを備えている。振動部６６には、接合手段７１の一部を構成する貫通孔７２ａ，７２ｂが形成されており、スペーサ６８には、接合手段７１の一部を構成する貫通孔７４ａ，７４ｂが形成されている。ソール張出し体６４をソール部２０に装着する際には、ボルト４４ａ，４４ｂが、貫通孔７２ａ，７２ｂおよび貫通孔７４ａ，７４ｂに挿通されて、ねじ穴４６ａ，４６ｂに螺合される。
【００６３】
この構成では、ソール部２０と振動部６６との間に板状のスペーサ６８が介装されるので、振動部６６の振動を調整したり、アドレス時のスイートスポットＰ（図２）の高さを調整したりする際には、ソール部２０と振動部６６との間に生じる空間Ｓの高さをスペーサ６８の厚さで調整できる。つまり、スペーサ６８の厚さを厚くすると空間Ｓの高さを高くでき、スペーサ６８の厚さを薄くすると空間Ｓの高さを低くできる。また、ソール部２０と振動部６６との間に空間Ｓを確保するために、振動部６６に段差を設ける必要がないので、振動部６６を簡単かつ安価に製造できる。
【００６４】
（第３実施形態）
図７（Ａ）は第３実施形態に係るソール張出し体７６の構成を示す平面から見た斜視図であり、図７（Ｂ）は第３実施形態に係るゴルフパター７８の構成を示す底面から見た斜視図である。図３に示す第１実施形態に係るソール張出し体１６では、振動部２２が連絡部２４の支持部２８によって片持ち状態で支持されているが、図７（Ａ）に示す第３実施形態に係るソール張出し体７６では、振動部８０が連絡部８２の２つの支持部８４ａ，８４ｂによって両持ち状態で支持される。
【００６５】
振動部８０は、ゴルフパターヘッド１２のスイング方向（前後方向）に対して直交する方向（左右方向）に延びるスリット８６によって２つの部分に分割されており、２つの支持部８４ａ，８４ｂは、スリット８６の両端部近傍において振動部８０に設けられている。各支持部８４ａ，８４ｂの高さｈ１は、２〜５ｍｍ程度に定められており、各支持部８４ａ，８４ｂの上面と振動部８０の上面との間に形成された段差８８ａ，８８ｂの高さｈ２は、０〜４．８ｍｍ程度に定められている。したがって、図７（Ｂ）に示すように、ソール張出し体７６をソール部２０に装着したときには、ソール部２０と振動部８０との間の空間の高さは、０〜４．８ｍｍ程度となる。
【００６６】
この構成では、両持ち状態にされた振動部８０の振動を２つの支持部８４ａ，８４ｂを介してゴルフパターヘッド１２に伝達できるので、その振動をシャフト１４からプレイヤーの手に伝えることができ、プレイヤーが感じるフィーリングを良くすることができる。なお、支持部の数は、２つに限定されるものではなく、３つ以上にされてもよい。また、振動部８０には、スリット８６に代えて、円形、楕円形、多角形などの形状の１つまたは複数の貫通孔が形成されてもよい。
【００６７】
（第４実施形態）
図８（Ａ）は第４実施形態に係るソール張出し体９０の構成を示す平面から見た斜視図（一部断面）であり、図８（Ｂ）は第３実施形態に係るゴルフパター９２の構成を示す底面から見た斜視図である。図３に示す第１実施形態に係るソール張出し体１６では、振動部２２が連絡部２４の支持部２８によって片持ち状態で支持されているが、図８（Ａ）に示す第４実施形態に係るソール張出し体９０では、振動部９４が連絡部９６の環状の支持部９８によって、その全周において支持される。
【００６８】
振動部９４は、スリットで分割されていない１枚の板状に形成されており、その平面視形状は長方形に形成されている。支持部９８の高さｈ３は、２〜５ｍｍ程度に定められており、支持部９８の上面と振動部９４の上面との間に形成された段差１００の高さｈ４は、１〜４ｍｍ程度に定められている。したがって、図８（Ｂ）に示すように、ソール張出し体９０をソール部２０に装着したときには、ソール部２０と振動部９４との間の空間の高さは、１〜４ｍｍ程度となる。
【００６９】
この構成では、振動部９４の振動を環状の支持部９８を介してゴルフパターヘッド１２に伝達できるので、その振動をシャフト１４からプレイヤーの手に伝えることができ、プレイヤーが感じるフィーリングを良くすることができる。なお、振動部９４には、１つまたは複数のスリットが形成されてもよいし、円形、楕円形、多角形などの形状の１つまたは複数の貫通孔が形成されてもよい。
【００７０】
第２実施形態に係るソール張出し体６４（図６）、第３実施形態に係るソール張出し体７６（図７（Ａ），（Ｂ））および第４実施形態に係るソール張出し体９０（図８（Ａ），（Ｂ））においても、本発明の目的を逸脱しない限りにおいて種々の変更が可能である。
【符号の説明】
【００７１】
Ｐ…スイートスポット、Ｑ…ボール、Ｓ…空間、１０…ゴルフパター、１２…ゴルフパターヘッド、１４…シャフト、１６…ソール張出し体、１８…フェース部、２０…ソール部、２０ａ…下面、２２…振動部、２４…連絡部、２６…接合手段、２８…支持部。
【図１】
2019193728.tif 000003
【図２】
2019193728.tif 000004
【図３】
2019193728.tif 000005
【図４】
2019193728.tif 000006
【図５】
2019193728.tif 000007
【図６】
2019193728.tif 000008
【図７】
2019193728.tif 000009
【図８】
2019193728.tif 000010